(57)【要約】【課題】ポーション型容器では、容器の開口を塞ぐ膜状の蓋を、使用者が両手を用いてその指先で摘まんで開けるようにしており、容器を開封し難いという課題がある。【解決手段】ポーション型容器７０は、内容物を収容するカップ形状をなすカップ部６１と、カップ部６１の開口を塞いで密封する膜部６２と、カップ部６１の周縁片の一部から膜部の上方に延び、少なくとも一部が膜部６２に向かって移動可能に設けられ、膜部６２を開封可能な開封手段７１とを含む。このようにすれば、開封手段７１を用いて膜部６２を開封できるので、使用者が簡単に容器７０を開封することができる。【選択図】図２９
2020100448.tif 000002
【特許請求の範囲】
【請求項１】
内容物を収容するカップ形状をなすカップ部と、
前記カップ部の開口を塞いで密封する膜部と、
前記カップ部の周縁片の一部から前記膜部の上方に延び、少なくとも一部が前記膜部に向かって移動可能に設けられ、前記膜部を開封可能な開封手段と、
を含む、
密封容器。
【請求項２】
前記膜部を貫通した前記開封手段の少なくとも一部を前記膜部から離間させる方向に移動させる移動手段を含む、
請求項１に記載の密封容器。
【請求項３】
前記開封手段に設けられ、下方に突出した開封用突起部を含む、
請求項１または請求項２に記載の密封容器。
【請求項４】
前記開封用突起部は、その下端が鋭角な錐形状に形成されている、
請求項３に記載の密封容器。
【請求項５】
前記開封手段が板状をなし、その下面に前記開封用突起部が設けられる、
請求項３または請求項４に記載の密封容器。
【請求項６】
前記開封用突起部が前記膜部を貫通したときに平面視で前記カップ部の内面に近接した位置に排出孔が形成されるように、前記開封用突起部が前記開封手段の下面に配置されている、
請求項５に記載の密封容器。
【請求項７】
複数の前記開封用突起部が、前記カップ部の内面の湾曲形状に合わせられるように並んだ状態で、前記開封手段の下面に配置されている、
請求項５または請求項６に記載の密封容器。
【請求項８】
前記開封用突起部が前記膜部を貫通するときに前記開封手段により前記膜部の上面が覆われる、
請求項５から請求項７のいずれか１項に記載の密封容器。
【請求項９】
前記開封用突起部により前記膜部に形成される排出孔以外に前記カップ部に空気を流入させる空気孔を前記膜部に形成可能な空気孔用突起部を含む、
請求項３から請求項８のいずれか１項に記載の密封容器。
【請求項１０】
前記空気孔用突起部は、前記開封用突起部の移動とともに前記膜部に向かって移動可能に設けられる、
請求項９に記載の密封容器。
【請求項１１】
前記開封手段が板状をなし、
前記開封用突起部は、前記開封手段の下面における先端側に設けられ、
前記空気孔用突起部は、前記開封手段の下面における基端側に設けられる、
請求項１０または請求項９に記載の密封容器。
【請求項１２】
前記開封手段を前記膜部に向かって移動させる操作が可能な操作部を含む、
請求項１から請求項１１のいずれか１項に記載の密封容器。
【請求項１３】
前記開封手段が板状をなし、その上面が前記操作部となっている、
請求項１２に記載の密封容器。
【請求項１４】
前記開封手段が板状をなし、
前記開封手段は、その基端側を支点として上下方向に揺動可能となっている、
請求項１から請求項１３のいずれか１項に記載の密封容器。
【請求項１５】
前記開封手段の揺動の支点は、前記膜部の位置と同じ高さの位置に設けられる、
請求項１４に記載の密封容器。
【請求項１６】
前記開封手段が平面的な板状をなし、前記カップ部の前記周縁片の一部から前記膜部の上方に傾斜されて延びる突出片である、
請求項１から請求項１５のいずれか１項に記載の密封容器。
【請求項１７】
前記開封手段は、前記カップ部または前記膜部に対して分離不能に設けられる、
請求項１から請求項１６のいずれか１項に記載の密封容器。
【請求項１８】
前記膜部が前記開封手段により開封される前に、前記開封手段に外力が加わらないように保護し、前記膜部と前記開封手段とを覆うことが可能で、かつ前記カップ部に対して分離可能な蓋部材を含む、
請求項１から請求項１７のいずれか１項に記載の密封容器。
【発明の詳細な説明】
【技術分野】
【０００１】
本発明は、内容物を密封して収容する密封容器に関する。
【背景技術】
【０００２】
従来、使用者が開封操作をしたときに、袋体内部の液体の圧力が上昇して膜部が突起部に向かって膨出し、突起部により膜部が貫通されるとともに、この膜部に開いた穴から袋体内部の液体が流出される容器がある（例えば、特許文献１参照）。
【先行技術文献】
【特許文献】
【０００３】
【特許文献１】国際公開第２００８／０１０２６２号
【発明の概要】
【発明が解決しようとする課題】
【０００４】
しかしながら、特許文献１に記載の容器にあっては、使用者が開封操作をして袋体内部の液体の圧力を上昇させたときに、膜部の膨出の度合いを使用者が把握し難くなっており、突起部により膜部が貫通されるタイミングが分かり難く、かつ突起部により膜部が貫通されると同時に、袋体内部の液体が流出されるので、この流出のタイミングを使用者が調整し難いという課題がある。
【０００５】
本発明は、このような課題に着目してなされたもので、内容物が排出されるタイミングを使用者が調整することができる密封容器を提供することを目的とする。
【課題を解決するための手段】
【０００６】
本発明の密封容器は、
内容物を収容する収容部と、
前記収容部を密封する膜部と、
少なくとも一部が前記膜部に向かって移動可能に設けられて前記膜部を開封可能な開封手段と、
前記開封手段を移動させる操作を行うための操作部と、
前記操作部の操作が行われることにより前記開封手段が前記膜部を貫通するタイミングとは異なるタイミングで前記内容物を前記収容部から排出可能な排出手段と、
を含む。
このようにすれば、使用者が操作部の操作を行うことにより、膜部を開封する操作のみを行うことが可能であるので、内容物が排出されるタイミングを使用者が任意に調整することができる。
【０００７】
また、本発明の密封容器は、
前記操作部の操作が行われた後に、前記内容物を前記収容部から排出させる操作が行われることにより前記内容物を前記収容部から排出可能である。
このようにすれば、使用者が内容物を収容部から排出させる操作を行ったタイミングで内容物が排出されるので、内容物が排出されるタイミングを使用者が調整することができる。
【０００８】
また、本発明の密封容器は、
前記膜部を貫通した前記開封手段の少なくとも一部を前記膜部から離間させる方向に移動させる移動手段を含む。
このようにすれば、内容物が収容部から排出されるときに、開封手段が膜部に形成された開口を塞ぐことがなくなるので、開封手段が内容物の排出を妨げてしまうことを防止できる。例えば、従来技術の容器にあっては、膜部に開いた穴から袋体内部の液体が流出するときに、膜部を貫通した突起部の先端が穴を塞ぐように配置されるので、この突起部の先端が液体の流出を妨げてしまうという課題があるが、本発明はこのような課題を解決することができる。
【０００９】
また、本発明の密封容器において、
前記開封手段の少なくとも一部は、定常位置にある前記膜部を超えて移動可能である。
このようにすれば、開封手段が定常位置にある膜部を貫通することができる。
【００１０】
また、本発明の密封容器は、
前記開封手段が前記膜部を貫通したときに前記開封手段が前記収容部に所定の進入長以上入り込むことを防止する進入防止手段を含む。
このようにすれば、開封手段が膜部を貫通したときに、開封手段が収容部に入り込み過ぎることを防止できる。
【００１１】
また、本発明の密封容器は、
前記開封手段が前記膜部を貫通したときに前記開封手段が前記収容部に入り込む進入長を確保するための空間を前記収容部の内部に形成する空間形成部を含む。
このようにすれば、開封手段が膜部を貫通したときに、誤って開封手段が収容部の内面側に接触してしまい、収容部が疵付けられることを防止できる。
【００１２】
また、本発明の密封容器において、
前記開封手段は、少なくとも一部が屈曲された線状をなす刃部を有し、前記刃部により前記膜部に切れ目が形成される。
このようにすれば、開封手段の刃部が膜部に貫通されることにより、少なくとも一部が屈曲された線状の切れ目が膜部に形成され、この切れ目から膜部が捲れることで、膜部の開口が大きく拡がるようになり、内容物を膜部の開口からスムーズに排出させることができる。
【００１３】
また、本発明の密封容器は、
前記刃部により形成された切れ目から前記膜部の開口が拡大された状態を維持する維持手段を含む。
このようにすれば、膜部の開口が拡大された状態が維持されるようになり、内容物を膜部の開口からスムーズに排出させることができる。
【００１４】
また、本発明の密封容器は、
前記開封手段により前記膜部に形成された開口から排出される前記内容物が入り込む前室と、
前記前室から前記内容物を外方に排出する排出口と、
前記前室に前記内容物が入り込んだことを確認可能な確認手段と、
を含む。
このようにすれば、膜部の開口から排出される内容物が前室に一旦入り込むので、不用意に内容物が外方に排出されてしまうことを防止でき、かつ使用者が操作部の操作を行った後に、膜部が開口したこと、つまり、内容物の排出が可能になったことを確認手段により確認することができる。例えば、従来技術の容器にあっては、使用者が開封操作をしたときに、突起部により膜部が貫通されても、袋体内部の液体が外部に流出されるまで、液体の流出が可能になったことを使用者が確認できないという課題があるが、本発明はこのような課題を解決することができる。
【００１５】
また、本発明の密封容器は、
前記開封手段により前記膜部に形成された開口から排出される前記内容物が入り込む前室と、
前記前室から前記内容物を外方に排出する排出口と、
前記内容物が流体であり、前記前室から前記排出口に向かって流れる前記内容物が逆流されることを防止する逆止弁手段と、
を含む。
このようにすれば、膜部の開口から排出される内容物が前室に一旦入り込むので、不用意に内容物が外方に排出されてしまうことを防止でき、かつ前室から排出口に向かって流れる内容物が逆流されることを防止できる。
【００１６】
また、本発明の密封容器において、
前記逆止弁手段は、流体の流れに応じて変形動作する膜状の部材を有する。
このようにすれば、逆止弁手段を膜状の部材という簡素な要素で実現でき、かつ逆止弁手段の小型化を図ることができる。
【００１７】
また、本発明の密封容器は、
前記開封手段により前記膜部に形成された開口から排出される前記内容物が入り込む前室と、
前記前室から前記内容物を外方に排出する排出口と、
を含み、
前記前室は、前記膜部と前記膜部に対向して配置される第２の膜部であって前記開封手段を操作可能な状態で覆う操作用膜部とにより形成される。
このようにすれば、膜部の開口から排出される内容物が前室に一旦入り込むので、不用意に内容物が外方に排出されてしまうことを防止でき、かつ前室を２つの膜部という簡素な要素で形成できるとともに第２の膜部を操作部として用いることができる。
【００１８】
また、本発明の密封容器は、
折曲可能な板部材を含み、
前記内容物が流体であり、前記内容物を前記収容部から排出させる操作は、折曲された前記板部材により前記収容部の少なくとも一部を挟み込むことで前記収容部の内部の前記内容物の圧力を上昇させる操作である。
このようにすれば、使用者が内容物の排出操作を容易に行うことができ、かつ内容物の圧力を上昇させる操作を、収容部を挟み込む折曲可能な板部材という簡素な要素で実現できる。
【００１９】
また、本発明の密封容器は、
前記内容物を外方に排出する排出口を有する排出管と、
前記排出管に対して揺動可能に設けられて前記排出管を収納可能な収納手段と、
を含み、
前記収納手段が揺動されることで前記排出管の少なくとも一部が覆われる。
このようにすれば、使用者が排出管を収納手段により収納するときに、収納手段を操作する使用者の手指の動きが、排出管に対して揺動される動きとなるので、排出管の先端が使用者の手指に触れてしまうことを防止できる。例えば、医療器具である注射器（プレフィルドシリンジ）に適用される技術において、医療関係者が使用後の注射針（排出管）をキャップに収納するときに、間違って注射針が自分の手指に刺さってしまうという課題があるが、本発明を注射器に適用した場合には、このような課題を解決することができる。
【００２０】
また、本発明の密封容器において、
前記収納手段が前記排出管を両側方から挟み込む板状の部分を有する。
このようにすれば、排出管に対して揺動される収納手段を簡素な要素で実現できる。
【００２１】
また、本発明の密封容器は、
前記操作部の操作が行われる前に、前記操作部に外力が加わらないように保護する保護手段を含む。
このようにすれば、不用意に操作部に外力が加わってしまい、膜部が開封されることを防止できる。
【００２２】
また、本発明の密封容器は、
前記内容物を外方に排出する排出口を有する排出管と、
前記排出管を両側方から挟み込む板状の部分を有して前記排出管を収納可能な収納手段と、
を含み、
前記保護手段は、前記排出管とともに前記操作部を覆うことが可能な前記収納手段が有する板状の部分である。
このようにすれば、排出管の収納操作とともに操作部を覆うことができる。
【００２３】
なお、本発明の使い捨て型密封容器は、
内容物を収容するカップ形状をなす収容部と、
前記収容部の開口を塞いで密封する膜部と、
少なくとも一部が前記膜部に向かって移動可能に設けられて前記膜部を開封可能な開封手段と、
を含む。
このようにすれば、開封手段を用いて膜部を開封できるので、使用者が簡単に容器を開封することができる。例えば、コーヒー用ミルクやガムシロップ等が充填されるポーション型容器では、容器の開口を塞ぐ膜状の蓋を、使用者が両手を用いてその指先で摘まんで開けるようにしており、容器を開封し難いという課題があるが、本発明は開封手段を用いて膜部を開封できるので、簡単に容器を開封することができる。
【００２４】
なお、本発明の使い捨て型密封容器は、
前記開封手段により前記膜部に形成される開口以外に前記収容部に空気を流入させるための空気孔を前記膜部に形成可能な空気孔形成手段を含む。
このようにすれば、収容部内の内容物を膜部に形成された開口から排出させるときに、空気孔から収容部内に空気が流入されるようになるので、内容物を膜部に形成された開口からスムーズに排出させることができる。
【００２５】
なお、本発明の使い捨て型密封容器において、
前記空気孔形成手段は、前記開封手段の移動とともに前記膜部に向かって移動可能に設けられる。
このようにすれば、開封手段を用いて膜部を開封すると同時に空気孔を形成可能になるので、使用者は空気孔を膜部に容易に形成することができる。
【００２６】
なお、本発明の使い捨て型密封容器は、
前記膜部が前記開封手段により開封される前に、前記開封手段に外力が加わらないように保護する保護手段を含み、
前記保護手段は、前記膜部と前記開封手段とを覆うことが可能で、かつ前記収容部に対して分離可能な蓋部材である。
このようにすれば、膜部または開封手段に不用意に外力が加わってしまい、膜部が疵付けられることを防止できる。
【００２７】
なお、本発明の密封容器において、
前記開封手段は、前記収容部または前記膜部に対して分離不能に設けられる。
このようにすれば、開封手段が収容部または膜部と一体的な部材となるので、開封手段の紛失防止となるとともに、使用者が使用後の密封容器を廃棄するときに開封手段を収容部または膜部と一体的な部材として廃棄することができる。
【００２８】
なお、本発明の逆止弁手段は、
仕切部を介して仕切られた第１空間部と第２空間部とが設けられ、前記仕切部に開口された孔部を介して前記第１空間部から前記第２空間部に向かって流れる流体が逆流されることを防止する逆止弁手段であって、
前記孔部を前記第２空間部側から覆う膜状の部材が設けられ、前記膜状の部材の一端が前記孔部の周囲近傍に固定されるとともに前記膜状の部材の他端が流体の流れに応じて変形動作される。
このようにすれば、逆止弁手段を膜状の部材という簡素な要素で実現でき、かつ逆止弁手段の小型化を図ることができる。
【図面の簡単な説明】
【００２９】
【図１】実施例１の密封容器としてのプレフィルドシリンジを示す斜視図。
【図２】プレフィルドシリンジのカバー板部を開いた状態を示す斜視図。
【図３】プレフィルドシリンジを示す分解斜視図。
【図４】プレフィルドシリンジを示す平面図。
【図５】プレフィルドシリンジを示す底面図。
【図６】開封操作部を示す平面図。
【図７】開封操作部を示す図６のＢ−Ｂ断面図。
【図８】プレフィルドシリンジを示す図４のＡ−Ａ断面図。
【図９】使用者が開封操作中のプレフィルドシリンジを示す側断面図。
【図１０】プレフィルドシリンジの使用状態を示す側断面図。
【図１１】使用者が密封用膜部の開封状態を確認している使用例を示す図。
【図１２】プレフィルドシリンジの使用例を示す図。
【図１３】開放状態の逆止弁部を示す側断面図。
【図１４】閉鎖状態の逆止弁部を示す側断面図。
【図１５】逆止弁部の膜部材を示す平面図。
【図１６】逆止弁部の膜部材を示す斜視図。
【図１７】実施例２の密封容器としてのパウチ型パックを示す斜視図。
【図１８】パウチ型パックのカバー板部を開いた状態を示す斜視図。
【図１９】パウチ型パックを示す側断面図。
【図２０】使用者が開封操作中のパウチ型パックを示す側断面図。
【図２１】パウチ型パックの使用状態を示す側断面図。
【図２２】実施例３の密封容器としてのポーション型容器を示す斜視図。
【図２３】使用者が開封操作中のポーション型容器を示す斜視図。
【図２４】ポーション型容器の使用状態を示す斜視図。
【図２５】ポーション型容器を示す平面図。
【図２６】ポーション型容器を示す側断面図。
【図２７】使用者が開封操作中のポーション型容器を示す側断面図。
【図２８】開封後のポーション型容器を示す側断面図。
【図２９】実施例４の密封容器としてのポーション型容器を示す斜視図。
【図３０】ポーション型容器の開封手段を示す斜視図。
【図３１】ポーション型容器を示す側断面図。
【図３２】使用者が開封操作中のポーション型容器を示す側断面図。
【図３３】開封後のポーション型容器を示す側断面図。
【発明を実施するための形態】
【００３０】
本発明に係る密封容器を実施するための形態を実施例に基づいて以下に説明する。なお、具体的な構成は以下の実施例に限られるものではなく、本発明の要旨を逸脱しない範囲における変更や追加があっても本発明に含まれる。
【実施例１】
【００３１】
実施例１に係る密封容器につき、図１から図１６を参照して説明する。図１の符号１は、実施例１の密封容器としてのプレフィルドシリンジである。このプレフィルドシリンジ１は、薬液（内容物）が予め充填された状態で提供される使い捨て型の注射器であって、注射針２（排出管）が予め装着された状態で安全に搬送できる注射器である。
【００３２】
図１および図２に示すように、プレフィルドシリンジ１は、薬液を対象者（実施例１では患者等）に注射するための注射針２と、ほぼ１回分の使用量に相当する液体状の薬液が充填される袋状をなす袋部材３（収容部：収容空間を形成する部材）と、長方形の板状をなす板状部材４（板部材）と、を主に含む。なお、注射針２は、金属等の材質により形成されている。この注射針２は、屈曲された板状部材４に覆われた状態で収納される。また、袋部材３は、柔軟性を有して変形し易く、かつ可塑性を有する合成樹脂等の材質により形成されることが好ましい。
【００３３】
図３に示すように、板状部材４は、１枚の長方形状をなす部材であり、その長手方向の２箇所の部分が屈曲可能である。この板状部材４は、可撓性を有しつつ、変形し難い合成樹脂等の材質により形成されることが好ましい。なお、板状部材４の上面（図３において見える側の面）を第１面と称し、板状部材４の下面（図３において見えない側の面）を第２面と称して以下に説明する。
【００３４】
この板状部材４は、袋部材３が第２面（下面）に取り付けられる第１板部５と、この第１板部５に隣接する第２板部６と、この第２板部６に隣接するカバー板部７と、の３つの板部により構成される。なお、第１板部５と第２板部６との間が第１屈曲部８により屈曲可能であるとともに、第２板部６とカバー板部７が第２屈曲部９により屈曲可能である。
【００３５】
また、第１板部５と第２板部６とは、ほぼ同じ大きさ（面積）に形成されている。つまり、第１板部５の長さ寸法および幅寸法と、第２板部６の長さ寸法および幅寸法と、がほぼ同じ寸法となっている。また、板状部材４が第１屈曲部８を中心として折り曲げられたときに、第２板部６の第２面が第１板部５の第２面に近接可能となっている（図１０参照）。
【００３６】
また、カバー板部７は、第２板部６から第１板部５までの第１面（上面）を覆うことが可能な大きさ（面積）に形成される。つまり、第１板部５と第２板部６とを合わせた長さ寸法と、カバー板部７の長さ寸法と、がほぼ同じ寸法となっている。なお、カバー板部７の幅寸法は、第１板部５および第２板部６とほぼ同じ寸法となっている。また、板状部材４が第２屈曲部９を中心として折り曲げられたときに、カバー板部７の第１面が第１板部５および第２板部６の第１面に近接可能となっている（図１および図８参照）。
【００３７】
また、袋部材３は、上方が開口する直方体形状をなしている。袋部材３の開口の周縁片１０が第１板部５の第２面（下面）の周縁部（図５の網点部分）に接着されることで、袋部材３が第１板部５の第２面に取り付けられる。なお、実施例で述べる接着とは、接着剤を用いた接合であっても良いし、部材同士を強く押し付けて圧着する接合であっても良いし、その他の手段を用いた接合であっても良い。
【００３８】
図５に示すように、板状部材４の第１板部５の中央には、四角形状（正方形状）に開口した開口部１１が形成されている。この開口部１１は、第１板部５の第２面側に取り付けられる密封用膜部１２により閉鎖されている（図７参照）。なお、袋部材３の内部に充填された薬液は、密封用膜部１２により密封された状態で保持される。
【００３９】
図６および図７に示すように、第１板部５の第１面（上面）側には、開口部１１に対応する位置に、使用者（実施例１では医療関係者等）が密封用膜部１２を開封する操作を行うための開封操作部１３が設けられている。この開封操作部１３は、平面視で四角形状（正方形状）をなして上方に突出された枠部１４を有し、この枠部１４の内周面の一部から枠部１４の内方に向かって開封手段１５が延びている。
【００４０】
この開封手段１５は、その先端側の縁辺が半円形状に丸く形成された薄い板状をなす突出片である。また、開封手段１５は、枠部１４の一辺から延びるとともに他の三辺から離間されている。さらに、開封手段１５は、その基端側を支点として上下方向に揺動可能（密封用膜部１２に近接する方向に移動可能）となっている。つまり、開封手段１５は、板状部材４と一体的に形成されているが、開封手段１５が薄い板状をなしていることで、弾性変形可能になっている。
【００４１】
また、開封操作部１３の枠部１４の上端面には、使用者が開封手段１５を操作するときに押し込むことが可能な操作用膜部１６（操作部）が取り付けられている。なお、この操作用膜部１６の周縁部は、枠部１４の上端面（図６の網点部分）に接着される。さらに、密封用膜部１２と枠部１４と操作用膜部１６とにより囲まれた空間が前室１７となっている。このように前室１７を２つの膜部を用いた簡素な要素で形成できる。
【００４２】
なお、密封用膜部１２と操作用膜部１６は、側面視で平行をなすように配置されている。さらに、密封用膜部１２と操作用膜部１６の間である前室１７に開封手段１５が配置されている。また、開封手段１５は、密封用膜部１２から離れた位置に設けられている。さらに、開封手段１５は、密封用膜部１２および操作用膜部１６に対して側面視で平行をなすように配置されている。
【００４３】
また、開封操作部１３には、注射針２が取り付けられている。この開封操作部１３の枠部１４には、前室１７から注射針２に向けて薬液を通過させるための連通孔１８が設けられている（図３参照）。そして、注射針２は、開封操作部１３の連通孔１８に対応する部位に逆止弁部１９を介して接続されている。なお、前室１７に袋部材３内部に薬液が流入されると、この薬液が注射針２の先端の開口（排出口）から流出される。
【００４４】
なお、密封用膜部１２は、変形しにくい合成樹脂等の材質により形成されることが好ましい。この密封用膜部１２は、張力が付与された状態で開口部１１を閉塞している。また、操作用膜部１６は、弾性変形し易い合成樹脂等の材質により形成されることが好ましい。少なくとも操作用膜部１６は、密封用膜部１２よりも弾性変形し易い材質で形成されている。さらに、操作用膜部１６は、透明な部材となっている。この操作用膜部１６が使用者の指により押されたときに、操作用膜部１６とともに開封手段１５を押し下げることが可能になっている（図９参照）。この押し下げられた開封手段１５により密封用膜部１２を開封することができる。
【００４５】
図７に示すように、開封手段１５には、下方に突出した刃部２０が設けられている。この刃部２０の下端縁は、鋭角な形状をなし、密封用膜部１２を貫通可能となっている。この刃部２０は、開封手段１５の先端の縁辺から側端の縁辺にかけて延びている。なお、刃部２０の下端辺は、開封手段１５の基端側から先端側にゆくに従って下がるように傾斜されている。即ち、開封手段１５が押し下げられたときに、開封手段１５の先端側の刃部２０が最初に密封用膜部１２が接触し、さらに開封手段１５が押し下げられることで、密封用膜部１２に切れ目が形成される（図９参照）。
【００４６】
図６に示すように、刃部２０は、平面視でＵ字形状（馬蹄形状）に形成されている。この刃部２０が密封用膜部１２を貫通（切断）することで、密封用膜部１２には、Ｕ字形状（馬蹄形状）の切れ目（開口）、つまり、少なくとも一部が屈曲された線状の切れ目が形成される。なお、この切れ目から密封用膜部１２が捲れることで、密封用膜部１２の開口が大きく拡がるようになり、薬液を密封用膜部１２の開口からスムーズに排出させることができる。
【００４７】
図７に示すように、開封手段１５の刃部２０は、袋部材３の外部から定常位置Ｓにある密封用膜部１２を超えて袋部材３の内部に進入可能になっている。なお、板状部材４の第１板部５の第２面には、開口部１１および密封用膜部１２を囲むように突出された凸条２１（空間形成部）が設けられている。また、この凸条２１は、突出長Ｌを有している。この凸条２１が設けられることで、袋部材３が変形した場合に、袋部材３の一部の内面（底面等）が密封用膜部１２に近接（接触）されることを防止している。そのため、開封手段１５の刃部２０が密封用膜部１２を貫通しても、袋部材３が刃部２０に接触されないようにしている。つまり、凸条２１が突出長Ｌを有していることで、開封手段１５の刃部２０が、密封用膜部１２を超えて袋部材３の内部に入り込む進入長を確保するための空間が形成されている。この空間が確保されることで、開封手段１５の刃部２０が密封用膜部１２を貫通したときに、誤って開封手段１５が袋部材３の内面側に接触してしまい、袋部材３が疵付けられることを防止できる。
【００４８】
また、開封手段１５は、板状部材４（枠部１４）と一体的に形成された部分であり、可撓性を有している部分である。この開封手段１５は、板状部材４よりも薄く形成されているので、開封手段１５の基端側を中心として撓み易くなっている。しかしながら、この開封手段１５の剛性は、凸条２１の突出長Ｌを超えて撓まない程度の剛性となっている。このように開封手段１５の剛性が規定されることで、開封手段１５が袋部材３の内部に所定の進入長以上入り込み過ぎることを防止している。つまり、実施例１の進入防止手段が構成されている。なお、この開封手段１５の剛性は、使用者が親指で操作用膜部１６を押し込むときの平均的な押圧力に基づいて規定される。
【００４９】
図４に示すように、開封操作部１３に接続された注射針２は、第１板部５から第１屈曲部８を超えて第２板部６側にまで延びている。また、注射針２は、平面視において板状部材４の幅方向の中央位置から一側方（図４の紙面下方）に変位した位置に設けられている。
【００５０】
図３に示すように、カバー板部７には、開封操作部１３および注射針２を収納可能な収納部２２が形成されている。この収納部２２は、カバー板部７の一部が第１面側から凹ませられることで形成された凹部となっている。なお、収納部２２は、開封操作部１３を収納する四角形状をなす凹部（保護手段）と注射針２を収納する直線状をなす凹部（収納手段）とを有する。
【００５１】
図８に示すように、プレフィルドシリンジ１が可搬状態（安全に搬送可能な状態）である場合には、第１屈曲部８が屈曲されていない非屈曲状態であるとともに、第２屈曲部９が屈曲された屈曲状態となっている。この可搬状態では、第１板部５と第２板部６とが平坦な状態であり、第２板部６が注射針２に近接して配置される。なお、第２屈曲部９の折り曲げ角度は、ほぼ１８０度となっている。そして、カバー板部７の第１面が第１板部５および第２板部６の第１面に接触されている。
【００５２】
この可搬状態では、開封操作部１３および注射針２が、カバー板部７に覆われて収納部２２に収納された状態にある。なお、注射針２の先端側は、カバー板部７と第２板部６とにより挟み込まれるように覆われる。なお、開封操作部１３がカバー板部７により覆われるので、不用意に操作用膜部１６に外力が加わってしまい、開封手段１５が押圧されることで、密封用膜部１２が開封されることを防止できる。また、注射針２がカバー板部７と第２板部６とにより覆われるので、プレフィルドシリンジ１を安全に搬送できる。
【００５３】
図３に示すように、カバー板部７の端部近傍の両側部には、掛止爪２３が設けられている。また、第１板部５の端部近傍の両側部には、掛止爪２３が掛止可能な爪固定部２４が設けられる。なお、掛止爪２３は、カバー板部７の側部から第１面側に突出した突出片であり、爪固定部２４は、第１板部５の側端部が切り欠かれて形成された切欠部である。この掛止爪２３は、爪固定部２４に対して着脱可能な状態で掛止される。
【００５４】
図１に示すように、プレフィルドシリンジ１が可搬状態にあるときには、カバー板部７の掛止爪２３が第１板部５の爪固定部２４に掛止されるので、カバー板部７が第１板部５から不用意に離れないようにできる。さらに、カバー板部７が第２板部６から第１板部５にかけて第１屈曲部８を跨ぐように配置されるので、第１屈曲部８が不用意に屈曲されないようにできる。
【００５５】
また、カバー板部７の端縁は、第１板部５から離れる方向に屈曲されており、この端縁は、使用者が指を掛けることが可能になっている。使用者がプレフィルドシリンジ１を使用するときには、カバー板部７の端縁に指を掛けることで、掛止爪２３を爪固定部２４から外すことができる。そして、使用者は、カバー板部７を第１板部５および第２板部６から離間（開放）させることができる（図２参照）。
【００５６】
図９に示すように、カバー板部７を開放すると、開封操作部１３が露呈される。この状態で、使用者が操作用膜部１６を親指で押すと、開封手段１５が押し下げられ、刃部２０が密封用膜部１２を貫通し、密封用膜部１２が開封される。そして、密封用膜部１２が開封されると、袋部材３内の薬液が前室１７に流出可能になる。なお、使用者が操作用膜部１６を介して開封手段１５に触れながら開封操作を行えるので、密封用膜部１２が開封されるタイミングを使用者が把握することができる。
【００５７】
また、使用者が操作用膜部１６から親指を離すと、開封手段１５がその弾性力により密封用膜部１２から離れた通常位置（退避位置）に復帰する（図１０参照）。そのため、密封用膜部１２に形成された開口から開封手段１５が離間され、開封手段１５が袋部材３内の薬液が前室１７に排出されることを妨げてしまうことがない。なお、開封手段１５が弾性力を有していることが、実施例１の移動手段を構成する。
【００５８】
図１０に示すように、使用者がカバー板部７をさらに揺動（回動）させることで、第２板部６が注射針２から離間される。そして、第２板部６は、第１屈曲部８を中心として揺動され、第２板部６の第２面が第１板部５の第２面に近接する。このように第２板部６が第１板部５に近接すると、袋部材３が第１板部５と第２板部６との間に挟まれるようになる。使用者は、第１板部５と第２板部６とで挟み込んだ状態で袋部材３を摘まむと、袋部材３内の薬液の圧力が上昇され、密封用膜部１２の開口から前室１７に薬液が流出される。
【００５９】
なお、操作用膜部１６（確認手段）は、透明な部材となっているので、使用者は、操作用膜部１６を介して前室１７内に薬液が流出されたか否かを確認できる。つまり、密封用膜部１２が開封され、薬液の注射が可能となったことを、使用者が操作用膜部１６を介して確認できる（図１１参照）。また、使用者が操作用膜部１６を介して開封手段１５を視認しながら開封操作を行えるので、密封用膜部１２が開封されるタイミングを使用者が把握することができる。
【００６０】
さらに使用者が第１板部５と第２板部６とで袋部材３を強く摘まむと、前室１７に連通された注射針２の先端の開口から薬液が流出される。対象者に薬液を注射する場合には、先ず、密封用膜部１２を開封し、操作用膜部１６により前室１７内が薬液で充填されていることを確認する。この確認する段階で、前室１７内の全ての空気を注射針２の先端の開口から排出させておく。その後、注射針２を対象者に穿刺し、第１板部５と第２板部６とで袋部材３を強く摘まむと対象者に薬液を注入することができる（図１２参照）。なお、注射針２が板状部材４の幅方向の中央位置から一側方に変位した位置に設けられることで、板状部材４が対象者に当り難くなるので、注射針２を対象者に穿刺し易くなっている。
【００６１】
実施例１では、注射針２が逆止弁部１９（逆止弁手段）を介して前室１７と連通されている。この逆止弁部１９は、前室１７から注射針２の先端の開口に向かって流れる薬液が逆流されることを防止する。図１３に示すように、逆止弁部１９には、その内部空間を仕切る仕切壁２５（仕切部）が設けられている。そして、逆止弁部１９の内部には、仕切壁２５により仕切られた第１室２６（第１空間部）と第２室２７（第２空間部）とが設けられている。なお、第１室２６が前室１７に連通されているとともに、第２室２７が注射針２に連通されている。
【００６２】
図１５および図１６に示すように、仕切壁２５には、微小な孔部２８が貫通されている。この孔部２８を介して第１室２６から第２室２７に薬液が通過可能となっている。この孔部２８の第２室２７側には、孔部２８を覆う膜部材２９が設けられている。なお、孔部２８は四角形状をなしているとともに、膜部材２９も孔部２８の形状に合わせて四角形状（正方形状）をなしている。さらに、膜部材２９は、孔部２８の面積よりも大きな面積を有しており、孔部２８全体を閉鎖可能になっている。この膜部材２９の一辺全体は、孔部２８の一辺の近傍の仕切壁２５に接着（固定）された接着部３０（固定部）となっている。膜部材２９は、固定された部分を中心として孔部２８から離れる方向に捲れる（変形動作）ようになっている。なお、膜部材２９は、弾性変形し易い合成樹脂等の材質により形成されている。
【００６３】
さらに、使用者が第１板部５と第２板部６とで袋部材３を強く摘まむと、前室１７から第１室２６内に流入した薬液の圧力が上昇して、膜部材２９が捲れ上がり、孔部２８から薬液が第２室２７に流入される（図１３参照）。そして、薬液が第２室２７を介して注射針２の先端の開口から流出されるようになる。
【００６４】
また、使用者が第１板部５と第２板部６とで袋部材３を摘まむ力を弱めると、袋部材３の圧力が低下し、さらに袋部材３の形状が復帰されるので、注射針２の先端の開口から空気が流入してしまう場合がある。このときに、第１室２６の薬液の圧力が低下するとともに、第２室２７から第１室２６に流れる薬液の流動に応じて膜部材２９が孔部２８を閉鎖するようになる（図１４参照）。このように、孔部２８が膜部材２９により閉鎖されることで、外部の空気が前室１７や袋部材３の内部に入り込むことを防ぐことができる。さらに、孔部２８を覆う膜部材２９で簡素な要素で逆止弁手段を実現でき、かつ逆止弁部１９の小型化を図ることができる。
【００６５】
図１０に示すように、第１板部５と第２板部６とで袋部材３を強く摘まむことで、袋部材３内の薬液のほぼ全てを対象者に注射することができる。実施例１のプレフィルドシリンジ１では、指で摘まむ作業で薬液を注射できるので、従来のようなシリンジバレルとプランジャにより構成される注射器と比較して、簡便に操作を行うことができる。
【００６６】
また、対象者に対する注射が終了した後は、プレフィルドシリンジ１を対象から離して注射針２を再び収納部２２に収納する。注射針２を収納する際には、第２板部６の第２面を第１板部５の第２面から離す方向に、第２板部６を揺動（回動）させる。そして、第２板部６を、第１屈曲部８を中心として揺動させて、第１板部５と第２板部６とを平坦な状態に戻す。さらに、カバー板部７を、第２屈曲部９を中心として揺動させて、カバー板部７の第１面を第１板部５および第２板部６の第１面に近接させる。すると、注射針２および開封操作部１３がカバー板部７の収納部２２に収納されるとともに、カバー板部７の掛止爪２３が第１板部５の爪固定部２４に掛止される。このようにプレフィルドシリンジ１を再び可搬状態に戻すことができる。また、注射針２が収納部２２に収納されるので、袋部材３内に残った薬液が注射針２から垂れ落ちることがなくなる。
【００６７】
実施例１のプレフィルドシリンジ１では、使用者が注射針２をカバー板部７の収納部２２に収納するときに、カバー板部７を操作する使用者の手指の動きが、注射針２に対して揺動される動きとなるので、注射針２の先端が使用者の手指に触れてしまうことを防止できる。例えば、従来の注射器では、注射針をキャップに収納するときに、使用者の手指の動きが、注射針２に対して直線的に動くので、間違って注射針が自分の手指に刺さってしまうという課題があるが、実施例１のプレフィルドシリンジ１では、このような課題を解決することができる。
【００６８】
また、カバー板部７および第２板部６により注射針２が挟み込まれて収納されるので、注射針２に対して揺動される収納手段を簡素な要素で実現できる。また、カバー板部７および第２板部６は、注射針２に対して相対的に分離不能になっているので、収納手段の紛失防止となる。また、注射針２の収納操作とともに開封操作部１３をカバー板部７で覆うことができる。また、カバー板部７を、第２屈曲部９を中心として揺動させることで、注射針２の先端が始めに収納部２２に収納されるので、注射針２を安全に収納することができる。なお、実施例１では、注射針２の全体が収納部２２に収納されるが、少なくとも注射針２の先端が収納部２２に収納される構成でも良い。
【００６９】
以上、実施例１のプレフィルドシリンジ１では、使用者が開封操作部１３の押圧操作を行うことにより開封手段１５が密封用膜部１２を貫通し、密封用膜部１２が貫通されるタイミングと異なるタイミングで薬液を袋部材３から排出可能であるため、使用者が密封用膜部１２を開封する操作のみを行うことが可能であるので、薬液が排出されるタイミングを使用者が任意に調整することができる。なお、実施例１では、柔軟性を有する袋部材３と、この袋部材３を挟み込む第１板部５および第２板部６とにより排出手段が構成される。
【００７０】
また、使用者が開封操作部１３の押圧操作を行った後に、使用者が薬液を袋部材３から排出させる操作を行うことにより薬液を袋部材３から排出可能であるため、使用者が薬液を袋部材３から排出させる操作を行ったタイミングで薬液が排出されるので、薬液が排出されるタイミングを使用者が調整することができる。
【００７１】
また、密封用膜部１２を貫通した開封手段１５の刃部２０を密封用膜部１２から離間させる方向に移動させるため、薬液が袋部材３から排出されるときに、開封手段１５が密封用膜部１２に形成された開口を塞ぐことがなくなるので、開封手段１５が薬液の排出を妨げてしまうことを防止できる。
【００７２】
また、開封手段１５の少なくとも刃部２０は、袋部材３の外部から定常位置Ｓにある密封用膜部１２を超えて移動可能であるので、開封手段１５の刃部２０が定常位置Ｓにある密封用膜部１２を貫通することができる。
【００７３】
なお、実施例１では、定常位置Ｓにある密封用膜部１２を刃部２０が貫通されるようにしているが、その他の開封態様であっても良い。例えば、使用者が密封用膜部１２を開封する操作を行う前に、第１板部５と第２板部６とで袋部材３を強く摘まんで、袋部材３内部の液体の圧力を上昇させることで、密封用膜部１２の少なくとも一部を、定常位置Ｓから前室１７内部に向かって膨出した膨出位置まで移動させ、この膨出された密封用膜部１２を刃部２０により貫通させても良い。このような開封態様において、袋部材３内部の液体の圧力を充分に上昇させた後に密封用膜部１２を開封することで、使用者が密封用膜部１２を開封する操作を行うタイミングと同時に液体を外部に排出（噴出）させることが可能になる。また、第１板部５と第２板部６とで袋部材３を軽く摘まんで、袋部材３内部の液体の圧力を上昇させることで、密封用膜部１２に張力を与えるようにし、この張力が与えられた密封用膜部１２を刃部２０により貫通させても良い。
【００７４】
なお、実施例１では、刃部２０が平面視でＵ字形状（馬蹄形状）に形成されているが、少なくとも一部が屈曲された線状をなす形状であれば、刃部２０がその他の形状に形成されていても良い。例えば、刃部２０が平面視でＳ字形状やＶ字形状やＸ形状やＹ字形状等に形成されても良い。
【００７５】
また、実施例１では、密封用膜部１２の開口から流出される薬液が前室１７に一旦入り込むので、不用意に薬液が外方に流出されてしまうことを防止でき、かつ使用者が開封操作部１３の押圧操作を行った後に、密封用膜部１２が開口したこと、つまり、注射針２から薬液の流出が可能になったことを透明な操作用膜部１６により確認することができる。
【００７６】
また、実施例１では、使用者が薬液（液体）を袋部材３から排出させる操作は、折曲された板状部材４により袋部材３を挟み込むことで袋部材３の内部の薬液の圧力を上昇させる操作であることで、使用者が薬液の排出操作を容易に行うことができ、かつ薬液の圧力を上昇させる操作を、袋部材３を挟み込む折曲可能な板状部材４という簡素な要素で実現できる。
【００７７】
また、実施例１では、開封手段１５が袋部材３または密封用膜部１２に対して相対的に分離不能な状態に設けられているため、開封手段１５が袋部材３または密封用膜部１２と一体的な部材となるので、開封手段１５の紛失防止となるとともに、使用者が使用後のプレフィルドシリンジ１を廃棄するときに、開封手段１５を袋部材３または密封用膜部１２と一体的な部材として廃棄することができる。なお、実施例で述べる相対的に分離不能な状態とは、２つの部材同士が直接的に接続されている態様を含むのみならず、２つの部材同士が第３の部材を介して一体的に接続されている態様を含む。
【００７８】
なお、実施例１のプレフィルドシリンジ１は、板状部材４を有していることで、薬品名、濃度、有効期限等の各種情報を表記する面積を確保できる。また、このプレフィルドシリンジ１は、１回の使用で使用不可能になるので、使用後の注射器が薬物乱用者等に再利用されてしまうという問題もなくなる。
【００７９】
なお、袋部材３の内部の薬液が、密封用膜部１２により完全に密封された状態で搬送できるので、搬送中に外部の気圧が変化した場合であっても気密性を保つことができ、薬液の漏れ等が防止される。さらに、気泡等が薬液に混入されることもなくなる。また、このプレフィルドシリンジ１では、スクリューキャップ等により密閉される従来のプレフィルドシリンジと比較してガスバリア性が高まるので長期間の保存に耐えられる。例えば、従来のプレフィルドシリンジの保管寿命は１年間程度であるが、実施例１のプレフィルドシリンジ１を用いれば、長期間の保管寿命が実現される。
【００８０】
なお、実施例１では、操作用膜部１６が透明な部材となっているが、操作用膜部１６は、少なくとも透光性を有する部材であれば良く、完全な透明でなくても良い。例えば、操作用膜部１６が着色された透明な部材であっても良いし、光線の直線透過を防いで散光させる部材であっても良い。さらに、確認手段は、透明な操作用膜部１６でなくても良く、液体に触れることで色彩が変化する部材で操作用膜部を構成し、この操作用膜部の色彩の変化により前室１７内に液体が流出されたか否かを確認できるようにしても良い。また、前室１７内に液体に浮く浮き部材（目立つ色彩の部材）を設けるようにし、この浮き部材の動作を、使用者が操作用膜部１６を介して視認することで、前室１７内に液体が流出されたか否かを確認できるようにしても良い。
【００８１】
なお、実施例１では、操作用膜部１６（操作部）と刃部２０（開封手段１５）とが別部材となっているが、操作用膜部１６と刃部２０とを一体的な部材にしても良い。例えば、操作用膜部１６の部分を弾性変形し易いエラストマー等の材質にするとともに、刃部２０の部分を硬質な合成樹脂等の材質にし、操作用膜部１６と刃部２０とを二色成形（異材質成形）により一体的な部材として製造しても良い。
【００８２】
なお、図６に示すように、開封操作部１３（枠部１４）は、平面視で四角形状（正方形状）をなしているが、開封操作部１３の形状は、円形状や楕円形状であっても良く、使用者が親指で押圧操作し易い形状であれば、どのような形状であっても良い。
【００８３】
なお、図１５および図１６に示すように、逆止弁部１９の孔部２８を覆う膜部材２９は、四角形状をなしているが、この膜部材２９は、円形状や三角形状やＵ字形状であっても良い。また、四角形状をなす膜部材２９の一辺全体（基端部）が孔部２８の近傍に固定され、膜部材２９の他辺（自由端部）が孔部２８から離れる方向に捲れるようになっているが、この捲れる部分は、膜部材２９の固定された一辺の幅と同一幅、または、膜部材２９の固定された一辺の幅よりも狭い幅寸法となっていることが好ましい。このようにすることで、膜部材２９により孔部２８を安定的に閉鎖することができる。
【００８４】
なお、実施例１では、開封手段１５の剛性が、凸条２１の突出長Ｌを超えて撓まない程度の剛性となっていることで、実施例１の進入防止手段が構成されているが、その他の態様で進入防止手段を構成しても良い。例えば、枠部１４の内周面の一部から開封手段１５に向かって延びる凸部を設け、開封手段１５が通常位置にあるときには、この凸部に開封手段１５が接触せず、開封手段１５が押し込まれて、所定の進入長まで移動したときに、この凸部に開封手段１５が接触することで、開封手段１５がそれ以上入り込むことを防止しても良い。
【００８５】
なお、実施例１のプレフィルドシリンジ１は、災害時や緊急時に使用される簡易型の注射器として使用できる。また、薬液が外気に触れる機会がないので、薬液が汚染されることがない。さらに、注射針が開放されてから使用されるまでの時間を短縮できるので、注射針２が外部に曝されて汚染される可能性を低下できる。特に、プレフィルドシリンジ１を野外で使用するときの利便性が向上されている。
【実施例２】
【００８６】
次に、実施例２に係る密封容器につき、図１７から図２１を参照して説明する。図１７の符号４０は、実施例２の密封容器としてのパウチ型パックである。このパウチ型パック４０は、飲料（内容物）が予め充填された状態で提供される使い捨て型の包装部材である。
【００８７】
図１７に示すように、パウチ型パック４０は、使用者が咥えることができるスパウト部４１（排出管）と、飲料が充填される袋状をなす袋部材４２（収容部：収容空間を形成する部材）と、長方形の板状をなす板状部材４３（板部材）と、を主に含む。このスパウト部４１が屈曲された板状部材４３に覆われた状態で、パウチ型パック４０が提供される。また、袋部材４２は、合成樹脂膜やアルミ箔等をラミネート加工により重ね合わせたシートを基にして形成される。
【００８８】
図１８に示すように、スパウト部４１は、袋部材４２の上部に設けられた直方体状をなす部分である。その先端部（上面）には、飲み口４４（排出口）が設けられている。この飲み口４４は、横長の四角形状をなしているので、使用者が咥え易くなっている。なお、図１７から図２１に図示した袋部材４２において、スパウト部４１が設けられている側を前面側と称し、その反対側を後面側と称して以下に説明する。
【００８９】
図１７および図１８に示すように、板状部材４３は、スパウト部４１に対応して袋部材４２の上部に取り付けられている。なお、板状部材４３の横幅寸法は、スパウト部４１の横幅寸法とほぼ同じ寸法となっている。また、板状部材４３の長さ寸法は、スパウト部４１よりも長い寸法となっている。さらに、板状部材４３は、その長手方向の複数箇所の部分が屈曲可能である。そして、板状部材４３は、複数の屈曲部が折り曲げられることで、スパウト部４１を後面側から前面側にかけて覆うことができる。
【００９０】
図１９に示すように、板状部材４３は、スパウト部４１の後面側と上面側と前面側を覆うことができる。なお、板状部材４３の裏面側には、スパウト部４１の上面の飲み口４４を閉塞することが可能なブロック状の栓部４５が設けられている。
【００９１】
また、板状部材４３の先端近傍には、スパウト部４１の下部に設けられた被掛止部４６に掛止される掛止部４７が設けられている。さらに、板状部材４３の先端部は、側面視でＶ字状に屈曲され、使用者が指を掛けることが可能になっている。使用者が板状部材４３をスパウト部４１から外す際には、板状部材４３の先端部に指を掛けることで、この先端部が弾性変形され、掛止部４７をスパウト部４１の被掛止部４６から外すことができる。さらに、使用者が板状部材４３を揺動させると、栓部４５がスパウト部４１の飲み口４４から外れ、板状部材４３がスパウト部４１から離間（開放）される（図１８参照）。
【００９２】
また、箱状をなすスパウト部４１の内部には、空洞が形成されている。この空洞が実施例２の前室４８となっている。この前室４８は、飲み口４４を介して外部に開放可能となっている（図２０参照）。また、スパウト部４１の下部の後面側には、第１開口部４９が形成されている。さらに、スパウト部４１の下部の前面側には、第２開口部５０が形成されている。これら第１開口部４９および第２開口部５０は、互いに対向する位置に形成されている。また、第１開口部４９および第２開口部５０は、縦横幅が互いに同一寸法の四角形状（長方形状）をなす開口となっている（図１８参照）。
【００９３】
なお、第１開口部４９は、袋部材４２の内部に向けて開口されている部分である。この第１開口部４９は、袋部材４２の内部側から密封用膜部５１で閉鎖されている。なお、密封用膜部５１の周縁全体が第１開口部４９の周縁（スパウト部４１）に接着されている。また、袋部材４２の内部に充填された飲料は、密封用膜部５１により密封された状態で保持される。さらに、密封用膜部５１は、合成樹脂膜やアルミ箔等をラミネート加工により重ね合わせたシートを基にして形成される。
【００９４】
なお、第２開口部５０は、外部に向けて開口されている部分である。この第２開口部５０は、スパウト部４１の外部側から操作用膜部５２で閉鎖されている。なお、操作用膜部５２の周縁全体が第２開口部５０の周縁（スパウト部４１）に接着されている。また、操作用膜部５２で閉塞された第２開口部５０が実施例２の操作部となっている。さらに、操作用膜部５２は、弾性変形し易い合成樹脂等の材質により形成される。また、板状部材４３は、操作用膜部５２が設けられた第２開口部５０を覆うことができる。この板状部材４３により操作用膜部５２に外力が加わらないように保護する保護手段が構成される。
【００９５】
また、スパウト部４１の前室４８には、開封手段５３が設けられている。この開封手段５３は、その先端側（上端側）の縁辺が半円形状に丸く形成された薄い板状をなす突出片である（図１８参照）。この開封手段５３は、スパウト部４１の前室４８内の底面から上方に向かって延びる。また、開封手段５３は、スパウト部４１の他の内面から離間されている。さらに、開封手段５３は、その基端側（下端側）を支点として前後方向に揺動可能となっている。つまり、開封手段５３は、板状部材４３と一体的に形成されているが、開封手段５３が薄い板状をなしていることで、弾性変形可能になっている。
【００９６】
なお、密封用膜部５１と操作用膜部５２は、側面視で平行をなすように配置されている。さらに、密封用膜部５１と操作用膜部５２の間に開封手段５３が配置されている。また、開封手段５３は、その先端側が操作用膜部５２に向かって近づくように傾いて配置されている。つまり、開封手段５３は、その先端側が密封用膜部５１から離れるように傾いて配置され、密封用膜部５１および操作用膜部５２と開封手段５３とは、側面視で非平行をなしている。
【００９７】
また、開封手段５３には、密封用膜部５１に向けて突出した刃部が設けられている。この刃部は、鋭角な形状をなし、密封用膜部５１を貫通可能となっている。この刃部は、開封手段５３の先端の縁辺から側端の縁辺にかけて延びている。そして、開封手段５３が押されたときに、開封手段５３の刃部が密封用膜部５１に接触して、密封用膜部５１に切れ目が形成される（図２０参照）。なお、この刃部は、実施例１と同様に、平面視でＵ字形状（馬蹄形状）に形成されている。この刃部が密封用膜部５１を貫通することで、密封用膜部５１には、Ｕ字形状（馬蹄形状）の切れ目（開口）が形成される。このように、密封用膜部５１にＵ字形状の切れ目が形成されることで、密封用膜部５１に切片を生じさせることなく、密封用膜部５１を開封することができる。
【００９８】
また、袋部材４２の内部には、袋部材４２の内面同士が密着されることを抑える密着抑止部５４（空間形成部）が設けられている。この密着抑止部５４は、スパウト部４１と一体的に形成された部分であって、スパウト部４１の後面側から後方に延びるとともに、下方に長く延びる２枚の板状の部分で構成される。なお、これら２枚の板状の部分が互いに平行に配置され、その間に第１開口部４９が配置されている。この密着抑止部５４が設けられることで、袋部材４２の内面が密封用膜部５１（第１開口部４９）に近接（接触）されることを防止している。そのため、開封手段５３の刃部が、袋部材４２の外部から定常位置（非膨出位置）にある密封用膜部５１を超えて袋部材４２の内部に入り込む進入長を確保するための空間が形成されている。
【００９９】
図１８および図２０に示すように、使用者が板状部材４３をスパウト部４１から外すと、操作用膜部５２が露呈されるとともに、栓部４５が飲み口４４から外れる。この状態で、使用者が操作用膜部５２を親指で押すと、開封手段５３が通常位置から密封用膜部５１に向かって移動され、刃部が密封用膜部５１を貫通し、密封用膜部５１が開封される。そして、密封用膜部５１が開封されると、袋部材４２内の飲料が前室４８に流出可能になる。
【０１００】
また、使用者が操作用膜部５２から親指を離すと、開封手段５３がその弾性力により密封用膜部５１から離れた通常位置（離間位置）に復帰する（図２１参照）。そのため、密封用膜部５１に形成された開口から開封手段５３が離間され、袋部材４２内の飲料が前室４８に排出されることを開封手段５３が妨げてしまうことがない。なお、開封手段５３が弾性力を有して通常位置に復帰することが可能な部分が、実施例２の移動手段を構成する。
【０１０１】
なお、操作用膜部５２（確認手段）は、透明な部材となっているので、使用者は、操作用膜部５２を介して前室４８内に飲料が流出可能になったか否かを確認できる。つまり、密封用膜部５１が開封され、飲料を飲むことが可能となったことを、使用者が操作用膜部５２を介して確認できる。
【０１０２】
図２１に示すように、密封用膜部５１が開封された後に、使用者が柔軟性を有している袋部材４２を握ると、袋部材４２内の飲料の圧力が上昇され、密封用膜部５１の開口から前室４８に飲料が流出されるとともに、スパウト部４１の飲み口４４から流出される。また、使用者が飲み口４４を咥えることで、袋部材４２の内部の飲料を吸い出すこともできる。なお、使用者が飲料を吸い出すときには、袋部材４２の内部の密着抑止部５４によって、袋部材４２の内面同士が密着されることが抑えられるので、使用者が袋部材４２の内部の飲料を安定的に吸い出すことができる。
【０１０３】
なお、袋部材４２の内部の飲料を飲み終わった後は、板状部材４３を揺動させて、この板状部材４３をスパウト部４１に再び取り付けることができる。このときに、スパウト部４１の飲み口４４は、板状部材４３の栓部４５により再び閉塞される。そのため、袋部材４２の内部に飲料が残っていても、飲み口４４から飲料が零れ出ることがない。また、飲み口４４を栓部４５により閉塞した状態で密封用膜部５１を開封し、その後に栓部４５を飲み口４４から外しても良い。このようにすると、密封用膜部５１の開封と同時に、袋部材４２の内部の飲料が噴き出してしまうことを防止できる。また、板状部材４３を合成樹脂等の材質にするとともに、栓部４５を弾性変形し易いエラストマー等の材質にし、板状部材４３と栓部４５とを二色成形（異材質成形）により一体的な部材として製造しても良い。
【０１０４】
以上、実施例２のパウチ型パック４０では、使用者が操作用膜部５２の押圧操作を行うことにより開封手段５３が密封用膜部５１を貫通し、密封用膜部５１が貫通されるタイミングと異なるタイミングで飲料を袋部材４２から排出可能であるため、使用者が密封用膜部５１を開封する操作のみを行うことが可能であるので、飲料が排出されるタイミングを使用者が任意に調整することができる。なお、実施例２では、外部から圧力が加えられること、または、使用者が吸い出すことで、内部の流体を排出可能な袋部材４２により排出手段が構成される。
【０１０５】
なお、従来のスクリューキャップ付のスパウトパウチパックでは、内容物に非常に小さい低分子（水素等）が含まれている場合に、この低分子がスクリューキャップの部分から漏れ出してしまう虞があるが、実施例２のパウチ型パック４０では、第１開口部４９が密封用膜部５１により閉鎖されて高い気密性が保たれるので、内容物に漏れ易い低分子が含まれている場合であっても、内容物を長期間保持することができる。また、スクリューキャップを用いて密封性を高めようとすると、スクリューキャップをきつく締めなければならず、その開封が困難になるが、実施例２のパウチ型パック４０では、密封性を高めることができるとともに開封を容易に行うことができる。
【０１０６】
なお、実施例２のパウチ型パック４０は、人間の手指により操作される道具でなくても良く、所定の装置に着脱可能に搭載される部品（カートリッジ）としてパウチ型パック４０を使用しても良い。
【実施例３】
【０１０７】
次に、実施例３に係る密封容器につき、図２２から図２８を参照して説明する。図２２の符号６０は、実施例３の密封容器としてのポーション型容器である。このポーション型容器６０は、コーヒーや紅茶等に加えるクリーム（乳製品）やガムシロップ等の飲料（内容物）が予め充填された状態で提供される小型のカップ容器である。
【０１０８】
図２２および図２６に示すように、ポーション型容器６０は、飲料を収容するカップ形状（有底筒状）をなすカップ部６１（収容部：収容空間を形成する部材）と、このカップ部６１の上方の開口を塞いで密封する密封用膜部６２と、カップ部６１の一端から上方に延びるとともに密封用膜部６２に近接して設けられた開封手段６３と、密封用膜部６２および開封手段６３を覆う蓋部材６４（保護手段）と、を主に含む。なお、密封用膜部６２は、合成樹脂膜やアルミ箔等をラミネート加工により重ね合わせたシートを基にして形成される。また、カップ部６１は、不透明な合成樹脂等の材質により形成されている。さらに、蓋部材６４は、透明な合成樹脂等の材質により形成されている。
【０１０９】
図２５に示すように、カップ部６１は、平面視で円形状をなしている。このカップ部６１の開口の周囲の周縁片６５に、密封用膜部６２の周縁が接着されることで、密封用膜部６２がカップ部６１の内部を密封している。さらに、蓋部材６４は、カップ部６１の周縁片６５に対応して平面視で円形状をなしている。この蓋部材６４が密封用膜部６２および開封手段６３を覆うことで、使用前（搬送中）のポーション型容器６０に対して不用意に外力が加わった場合に、開封手段６３が密封用膜部６２に向かって移動されてしまい、密封用膜部６２が疵付けられることを防止できる。また、他の部材が密封用膜部６２に接触されて疵付けられることを防止できる。
【０１１０】
また、蓋部材６４の周縁の内面側には、カップ部６１の周縁片６５に掛止される掛止条６６が突出されている。なお、この掛止条６６は、蓋部材６４の内周面の全長に亘って設けられている。この掛止条６６をカップ部６１の周縁片６５から外すことで、蓋部材６４をカップ部６１から分離させることができる（図２３参照）。
【０１１１】
なお、開封手段６３は、その先端側の縁辺が半円形状に丸く形成された薄い板状をなす突出片である。また、開封手段６３は、カップ部６１の周縁片６５の一部から上方に延びるとともに、側面視で逆Ｌ字形状に屈曲されて、密封用膜部６２の上方位置に設けられている（図２６参照）。この開封手段６３は、側面視で密封用膜部６２と平行をなすように配置される。さらに、開封手段６３は、その基端側を支点として上下方向に揺動可能となっている。なお、開封手段６３の平板状をなす上面が、実施例３の操作部を構成する。この開封手段６３の上面を使用者が指で押圧操作することで、密封用膜部６２を開封することができる（図２３および図２７参照）。
【０１１２】
図２５および図２６に示すように、開封手段６３には、下方に突出した刃部６７が設けられている。この刃部６７の下端縁は、複数の突起が並んだ鋸歯状をなしている。この刃部６７で密封用膜部６２を切断可能となっている。この刃部６７は、開封手段６３の先端の縁辺から側端の縁辺にかけて延びている。つまり、刃部６７は、平面視でＵ字形状（馬蹄形状）に形成されている。この刃部６７の少なくとも一部（先端部）は、平面視でカップ部６１の内面の湾曲形状に合わせた曲線を有している。この刃部６７が密封用膜部６２を切断することで、密封用膜部６２には、Ｕ字形状（馬蹄形状）の切れ目（開口）が形成される。
【０１１３】
なお、実施例３の刃部６７は、密封用膜部６２を完全に貫通可能な鋭利な部分に構成されていなくても良い。例えば、使用者が開封手段６３の押圧操作をしたときに、鋸歯状の刃部６７が密封用膜部６２に接触して、この密封用膜部６２にミシン目が形成されるものでも良い。さらに、ミシン目が形成された密封用膜部６２と開封手段６３とを、使用者が指で同時に押し込むようにすると、密封用膜部６２がミシン目から裂けるようになり、この密封用膜部６２が開封される。
【０１１４】
図２３および図２７に示すように、使用者が蓋部材６４をカップ部６１から外すと、開封手段６３および密封用膜部６２が露呈される。この状態で、使用者が開封手段６３の上面を親指で押すと、開封手段６３が通常位置から密封用膜部６２に向かって移動され、刃部６７が密封用膜部６２を切断し、密封用膜部６２が開封される。つまり、刃部６７が、定常位置にある密封用膜部６２を超えることで、密封用膜部６２が開封される。そして、密封用膜部６２が開封されると、カップ部６１から飲料を排出可能になる。
【０１１５】
なお、実施例３では、開封手段６３および密封用膜部６２を視認できる状態で、使用者が開封手段６３の操作が可能であるので、密封用膜部６２が開封されるタイミングを使用者が把握することができる。また、使用者が開封手段６３に直接触れながら開封操作を行えるので、密封用膜部６２が開封されるタイミングを使用者が把握することができる。そのため、密封用膜部６２が突然開封されることがないばかりか、カップ部６１の内部の飲料が飛散する虞もない。
【０１１６】
また、使用者が開封手段６３から親指を離すと、開封手段６３がその弾性力により密封用膜部６２から離れた通常位置（退避位置）に復帰する（図２８参照）。そのため、密封用膜部６２に形成された開口から開封手段６３が離間され、カップ部６１内の飲料が排出されることを開封手段６３が妨げてしまうことがない。なお、開封手段６３が弾性力を有して通常位置に復帰することが可能な部分が、実施例３の移動手段を構成する。そして、密封用膜部６２が開封された状態でポーション型容器６０を傾けると、カップ部６１の内部の飲料が排出される（図２４参照）。また、飲料が排出されるタイミングを使用者が任意に調整することができる。なお、切れ目の少なくとも一部は、カップ部６１の内面に近接した位置に形成される。そのため、カップ部６１の内部の飲料を最後の一滴まで排出させることができる。
【０１１７】
なお、密封用膜部６２の裏面には、刃部６７により形成された切れ目から密封用膜部６２の開口が拡大された状態を維持するための補助部６８（維持手段）が取り付けられている（図２５参照）。また、補助部６８は、Ｕ字形状をなす刃部６７に接触しないように、密封用膜部６２の中央部に設けられる。この補助部６８は、厚みのある合成樹脂等で形成された部材であって、一度屈曲されると、その屈曲された状態を維持する部材となっている。
【０１１８】
図２７に示すように、開封された密封用膜部６２と開封手段６３とを、使用者が指で同時に押し込むようにすると、密封用膜部６２の開口が拡大される。この密封用膜部６２の開口が拡大された状態が、補助部６８により維持される。そのため、カップ部６１の内部の飲料が密封用膜部６２の開口から流れ出すときに、飲料の流動により密封用膜部６２の開口が閉じてしまうことがなく、飲料をスムーズに排出させることができる。
【０１１９】
なお、実施例３では、補助部６８が密封用膜部６２とは別の部材となっているが、補助部６８を密封用膜部６２と一体的に構成しても良い。例えば、密封用膜部６２自体を、一度屈曲されると、その屈曲された状態を維持する材質で構成しても良い。また、密封用膜部６２を開封した開封手段６３が通常位置に復帰しないようにし、開封手段６３が押し込まれた状態（形状）が維持されることで、密封用膜部６２の開口が拡大された状態を維持する維持手段が構成されても良い。
【０１２０】
なお、カップ部６１の内部の飲料を排出した後は、蓋部材６４を再びカップ部６１に取り付け、蓋部材６４により密封用膜部６２および開封手段６３を覆うようにする。このようにすると、カップ部６１の内部に飲料が残っていても、密封用膜部６２の開口から飲料が零れ出ることがない。
【０１２１】
以上、実施例３のポーション型容器６０では、開封手段６３を用いて密封用膜部６２を開封できるので、使用者が簡単にポーション型容器６０を開封することができる。
【０１２２】
また、開封手段６３は、カップ部６１に対して分離不能に設けられているため、開封手段６３がカップ部６１と一体的な部材となるので、開封手段６３の紛失防止となるとともに、使用者が使用後のポーション型容器６０を廃棄するときに開封手段６３をカップ部６１と一体的な部材として廃棄することができる。
【実施例４】
【０１２３】
次に、実施例４に係る密封容器につき、図２９から図３３を参照して説明する。なお、前述の実施例３に示される構成部分と同一構成部分については同一符号を付して重複する説明を省略する。
【０１２４】
図２９、図３０および図３１に示すように、実施例４の密封容器としてのポーション型容器７０の開封手段７１は、カップ部６１の周縁片６５の一部から上方に傾斜されて延びている。さらに、開封手段７１は、その基端側を支点として上下方向に揺動可能となっている。この開封手段７１の上面を使用者が指で押圧操作することで、密封用膜部６２を開封することができる（図３２参照）。
【０１２５】
また、実施例４の開封手段７１には、下方に突出した３つ（複数）の開封用突起部７２が設けられている。これらの開封用突起部７２は、カップ部６１の内面の湾曲形状に合わせられるように曲線上に並んだ状態で、開封手段７１の下面に配置されている。これらの開封用突起部７２が密封用膜部６２を貫通することで、密封用膜部６２に３つ（複数）の排出孔７４（開口）が形成される。これらの排出孔７４は、平面視でカップ部６１の内面の湾曲形状に沿って形成される。さらに、この開封用突起部７２から離れた位置には、密封用膜部６２に形成される排出孔７４以外にカップ部６１の内部に空気を流入させるための空気孔７５を形成するための１つ（単数）の空気孔用突起部７３（空気孔形成手段）が設けられている。
【０１２６】
なお、開封用突起部７２は、開封手段７１の先端側に設けられる。また、空気孔用突起部７３は、開封手段７１の基端側に設けられる。さらに、開封手段７１は、その基端側を支点として上下方向に揺動可能となっている。また、開封用突起部７２および空気孔用突起部７３は、下端が鋭角な円錐形状に形成されている。なお、開封用突起部７２および空気孔用突起部７３は、角錐形状や棒状に形成されていても良い。また、開封手段７１の下面全体に亘って多数の開封用突起部７２が設けられても良く、これらの開封用突起部７２により密封用膜部６２の全体に亘って多数の排出孔７４が形成されても良い。さらに、複数の開封用突起部７２の寸法がそれぞれ異なっていても良い。また、１つ（単数）の大きな寸法の開封用突起部７２が設けられても良い。
【０１２７】
図３１に示すように、密封用膜部６２および開封手段７１を覆う蓋部材６４（保護手段）が設けられている。図３２に示すように、使用者が蓋部材６４をカップ部６１から外すと、開封手段７１および密封用膜部６２が露呈される。この状態で、使用者が開封手段７１の上面を親指で押すと、開封手段７１が通常位置から密封用膜部６２に向かって移動され、開封手段７１の下面が密封用膜部６２の上面に接触された時点で、開封手段７１の移動が停止される。なお、開封手段７１の先端部がカップ部６１の周縁片６５に当たる（掛止される）ことでも、開封手段７１の移動が停止される。この状態で開封用突起部７２および空気孔用突起部７３が密封用膜部６２を貫通する。つまり、開封用突起部７２および空気孔用突起部７３が、定常位置にある密封用膜部６２を超えることで、密封用膜部６２が開封される。このようにして、密封用膜部６２に排出孔７４（第１開口）と空気孔７５（第２開口）とが形成される（図３３参照）。なお、開封手段７１の下面が密封用膜部６２の上面に接触されることや、開封手段７１の先端部がカップ部６１の周縁片６５に当たることで、それ以上、開封手段７１が移動できなくなる部分が、実施例４の進入防止手段を構成する。さらに、密封用膜部６２が開封されるときには、開封手段７１により密封用膜部６２の上面が覆われるので、飲料が飛散することがない。なお、開封手段７１の揺動の支点は、密封用膜部６２の位置とほぼ同じ高さの位置に設けられている。そのため、開封手段７１の下面全体を密封用膜部６２の上面に密着させることができる。
【０１２８】
また、使用者が開封手段７１から親指を離すと、開封手段７１がその弾性力により密封用膜部６２から離れた通常位置（離間位置）に復帰する（図３３参照）。そのため、密封用膜部６２に形成された排出孔７４および空気孔７５から開封手段７１が離間され、カップ部６１内の飲料が排出孔７４から排出されることや、カップ部６１内に空気孔７５から空気が流入することが妨げられることがない。なお、開封手段７１が弾性力を有して通常位置に復帰することが可能な部分が、実施例４の移動手段を構成する。そして、密封用膜部６２が開封された状態でポーション型容器７０を傾けると、カップ部６１の内部の飲料が排出孔７４から排出される。また、飲料が排出されるタイミングを使用者が任意に調整することができる。なお、排出孔７４は、平面視でカップ部６１の内面に近接した位置に形成される。そのため、カップ部６１の内部の飲料を最後の一滴まで排出させることができる。また、空気孔７５は、カップ部６１の中央部を介して排出孔７４の反対側の位置に離れて設けられる。そのため、カップ部６１を傾けて排出孔７４から飲料を排出させるときに、空気孔７５が飲料により塞がれてしまうおそれがない。
【０１２９】
以上、実施例４のポーション型容器７０では、密封用膜部６２に空気孔７５が形成されるので、カップ部６１内の飲料を密封用膜部６２に形成された排出孔７４から排出させるときに、空気孔７５からカップ部６１内に空気が流入されるようになるので、飲料をスムーズに排出させることができる。特に、内容物がクリームやガムシロップ等の粘性がある液体で構成されていると、飲料を排出孔７４から排出させるときに、排出孔７４に液膜が生じる虞がある。実施例４では、空気孔７５が排出孔７４と別に形成されることで、排出孔７４に液膜が生じてもカップ部６１内に空気を流入させることができる。
【０１３０】
また、空気孔用突起部７３は、開封手段７１の移動とともに密封用膜部６２に向かって移動可能に設けられることで、開封手段７１を用いて密封用膜部６２を開封すると同時に空気孔７５を形成可能になるので、使用者は空気孔７５を密封用膜部６２に容易に形成することができる。
【０１３１】
なお、実施例３および実施例４では、クリーム（ミルク飲料）やガムシロップ等の液体状の飲料がポーション型容器６０，７０に収容されているが、砂糖や塩やコショウ等の流動的に動く粉末状の物質（紛体）をポーション型容器６０，７０に収容しても良い。また、マウスウオッシュ等の飲食物以外の内容物をポーション型容器６０，７０に収容しても良い。
【０１３２】
以上、本発明に係る密封容器を実施例１から実施例４に基づいて説明したが、いずれか１の実施例において適用された構成を他の実施例に適用しても同一の効果を奏することができる。また、各実施例において適用された構成を組み合わせても良い。例えば、実施例４の開封用突起部７２を有する開封手段７１を、実施例１や実施例２の開封手段１５，５３に適用しても良い。なお、「手段」は、「部」や「機構」や「要素」等と称しても良い。
【０１３３】
なお、本発明の密封容器とは、容器の内容物が漏れ出さないように封じた状態で保持できる容器であれば、高い気密性を有するものでなくても良く、内容物以外の物質（例えば空気等）が容器の内部と外部との間で通過可能であっても良い。例えば、前述の実施例の袋部材３，４２に、空気等が通過可能な微小な孔部が形成されているものであっても良い。
【０１３４】
なお、本発明の密封容器に液体（流体）の内容物としての薬液や飲料が収容されているが、本発明の密封容器を、ケチャップやソース等の液体調味料、絵具や洗剤や接着剤等の化学品を収容する容器として用いても良い。また、本発明の内容物は、液体に限らず、流動的に動く物質であれば、気体や粉末状の物質（紛体）であっても良い。
【産業上の利用可能性】
【０１３５】
本発明の密封容器は、食品包装容器や医療器具や日用品等の用途に適用できるばかりか、その他の工業製品等の用途にも適用できる。
【符号の説明】
【０１３６】
１：プレフィルドシリンジ、２：注射針、３：袋部材、４：板状部材、４０：パウチ型パック、４１：スパウト部、４２：袋部材、４３：板状部材、６０：ポーション型容器、６１：カップ部。
【図１】
2020100448.tif 000003
【図２】
2020100448.tif 000004
【図３】
2020100448.tif 000005
【図４】
2020100448.tif 000006
【図５】
2020100448.tif 000007
【図６】
2020100448.tif 000008
【図７】
2020100448.tif 000009
【図８】
2020100448.tif 000010
【図９】
2020100448.tif 000011
【図１０】
2020100448.tif 000012
【図１１】
2020100448.tif 000013
【図１２】
2020100448.tif 000014
【図１３】
2020100448.tif 000015
【図１４】
2020100448.tif 000016
【図１５】
2020100448.tif 000017
【図１６】
2020100448.tif 000018
【図１７】
2020100448.tif 000019
【図１８】
2020100448.tif 000020
【図１９】
2020100448.tif 000021
【図２０】
2020100448.tif 000022
【図２１】
2020100448.tif 000023
【図２２】
2020100448.tif 000024
【図２３】
2020100448.tif 000025
【図２４】
2020100448.tif 000026
【図２５】
2020100448.tif 000027
【図２６】
2020100448.tif 000028
【図２７】
2020100448.tif 000029
【図２８】
2020100448.tif 000030
【図２９】
2020100448.tif 000031
【図３０】
2020100448.tif 000032
【図３１】
2020100448.tif 000033
【図３２】
2020100448.tif 000034
【図３３】
2020100448.tif 000035